(57)【要約】【課題】  印刷対象の画像のサイズに応じて、印刷するロール紙の適切な選択を行なう。【解決手段】  原稿読み取り機構１５の画像読み取り部１５ｂは、原稿セット部１５ａにセットされた原稿の画像を読み取り、この画像で表現される図形の各辺に対し、予め設定された倍率にしたがった拡大縮小を行なって得た画像データを出力する。ＣＰＵ１１は、原稿読み取り機構１５からの画像データをもとに、候補として予め設定されたロール紙種別のうち、拡大縮小を行なった画像が全て収まり、かつ、切り出し・印刷後の余白が最も少なくなるロール紙の種別およびロール紙カット長さを決定する。印刷機構は、決定したロール紙種別およびカット長さにしたがったロール紙カットおよび印刷を行なう。【選択図】      図１
2006116919.tif 000002
【特許請求の範囲】
【請求項１】
短辺の長さが、予め定められた複数種類の紙仕上げ寸法のうちいずれかの寸法の短辺長と対応するロール紙を複数種類取り付けるロール紙取り付け口と、
原稿の画像を読み取る読み取り手段と、
この読み取り手段により読み取った画像に対し等倍または任意の倍率による拡大縮小を行なう拡大縮小手段と、
この拡大縮小手段による拡大縮小を行なった画像で表現される図形の各辺のうち、前記原稿の前記読み取り手段による走査方向に沿った辺と同じ位置関係にある辺である第１図形辺の長さ、および、この第１図形辺に直交する第２図形辺の長さをそれぞれ検出する図形解析手段と、
前記取り付け口に取り付け可能なロール紙種別のうち、短辺の長さが、前記検出した第２図形辺の長さ以上で、かつ、最も短い長さであるロール紙種別を選択する選択手段と、
この選択した種別に対応するロール紙に対し、前記検出した第１図形辺の長さにしたがった切り出しを行なう切り出し手段と
を備えたことを特徴とする画像処理装置。
【請求項２】
短辺の長さが、予め定められた複数種類の紙仕上げ寸法のうちいずれかの寸法の短辺長と対応するロール紙を複数種類取り付けるロール紙取り付け口と、
原稿の画像を読み取る読み取り手段と、
この読み取り手段により読み取った画像に対し等倍または任意の倍率による拡大縮小を行なう拡大縮小手段と、
この拡大縮小手段による拡大縮小を行なった画像で表現される図形の各辺のうち、前記原稿の前記読み取り手段による原稿読み取り方向に沿った辺と同じ位置関係にある辺である第１図形辺、および、この第１図形辺に直交する第２図形辺の長さをそれぞれ検出する図形解析手段と、
前記取り付け口に取り付け可能なロール紙種別のうち、短辺の長さが、前記検出した第２図形辺の長さ以上で、かつ、最も短い長さである第１のロール紙種別、および、短辺の長さが、前記検出した第１図形辺の長さ以上で、かつ、最も短い長さである第２のロール紙種別をそれぞれ選択する選択手段と、
この選択手段により選択した第１のロール紙種別に対応するロール紙の短辺の長さと前記第２図形辺の長さの差分と前記第１図形辺の長さとの積である第１の面積、および、前記選択手段により選択した第２のロール紙種別に対応するロール紙の短辺の長さと前記第１図形辺の長さとの差分と前記第２図形辺の長さとの積である第２の面積をそれぞれ計算する計算手段と、
前記第１の面積が前記第２の面積より小さい場合には、前記第１のロール紙種別と対応するロール紙に対し、前記第１図形辺の長さにしたがった切り出しを行ない、前記第２の面積が前記第１の面積より小さい場合には、前記第２のロール紙種別と対応するロール紙に対し、前記第２図形辺の長さにしたがった切り出しを行なう切り出し手段と
を備えたことを特徴とする画像処理装置。
【請求項３】
前記選択手段による選択、および、前記計算手段による計算の有無を設定する設定手段をさらに備え、
前記切り出し手段は、
前記設定手段により、前記選択手段による選択、および、前記計算手段による計算を行なわない設定がなされた場合に、前記第１のロール紙種別と対応するロール紙に対し、前記第１図形辺の長さにしたがった切り出しを行なう
ことを特徴とする請求項２に記載の画像処理装置。
【請求項４】
前記選択手段は、
前記取り付け口に取り付け可能なロール紙種別のうち予め定めた種別のなかから、前記ロール紙種別の選択を行なう
ことを特徴とする請求項１または２に記載の画像処理装置。
【請求項５】
前記取り付け口に取り付けられるロール紙の種別を判別する判別手段をさらに備え、
前記選択手段は、
前記取り付け口に取り付け可能なロール紙種別のうち、前記取り付け口に取り付けられていると前記判別手段により判別された種別のなかから、前記ロール紙種別の選択を行なう
ことを特徴とする請求項１または２に記載の画像処理装置。
【発明の詳細な説明】
【技術分野】
【０００１】
本発明は、例えばデジタル複写機などの画像処理装置に関する。
【背景技術】
【０００２】
従来、例えばデジタル複写機などの、原稿の画像を読み込んで、これを紙に印刷する画像処理装置では、印刷に用いる紙としてロール紙を用いるタイプの装置がある（例えば特許文献１参照）。
【０００３】
ロール紙を用いたデジタル複写機の給紙機構は、定寸サイズの原稿、ここでは、紙仕上げ寸法であるＡ０判、Ａ１判、Ａ２判、・・・のいずれかの寸法にしたがった原稿のサイズに合わせたロール紙カット、いわゆる定寸カットを行なう機能、および、非定寸サイズの原稿の各辺のうち、デジタル複写機の原稿読み取り機構による原稿読み取り方向に沿った辺の長さにしたがったロール紙カット、いわゆるシンクロカットを行なう機能を有する。非定寸サイズの原稿とは、一辺の長さのみが紙仕上げ寸法に対応する原稿である。
【０００４】
デジタル複写機は、原稿の画像を読み込み、この画像に対し、予め定められた値、または任意の値の倍率による拡大縮小を行ない、この画像をもとにした印刷を行なう機能、いわゆる拡大縮小印刷機能を有する。
【特許文献１】特開２００４−９０６５９号公報
【発明の開示】
【発明が解決しようとする課題】
【０００５】
拡大縮小印刷機能において、等倍による画像の印刷を行なう場合には、短辺の長さが、原稿における原稿読み取り方向と直交した方向に沿った辺の長さと同じであるロール紙を自動で選択し、この選択したロール紙に対する、原稿の、原稿読み取り方向に沿った辺の長さにしたがったロール紙カットを行なう。ここで、切り出し対象のロール紙が装置の給紙機構にセットされていない場合は、メッセージ表示などにより、ユーザに対する、当該切り出し対象のロール紙のセット要求を行なう。
【０００６】
ここで、ロール紙の自動選択を行ない、かつ、シンクロカットを行なう場合には、拡大縮小の倍率として設定できる値は、例えば、定寸サイズの原稿が別の定寸サイズになる倍率、例えば、Ａ３判サイズからＡ０判サイズになる倍率に限られる。
【０００７】
具体的な例を以下に説明する。ここでは、デジタル複写機の給紙機構にＡ０幅ロール紙、Ａ１幅ロール紙、Ａ２幅ロール紙、およびＡ３幅ロール紙がセットされていると仮定する。Ａ０幅ロール紙とは、短辺の長さ、つまり搬送方向と直交した方向に沿った辺がＡ０判の短辺長（８４１ミリメートル）であるロール紙である。
【０００８】
ここで、原稿読み取り方向に沿った辺、ここでは長辺に該当する辺の長さＬ11が８００ミリメートルであり、原稿読み取り方向に直交した方向に沿った辺、ここでは短辺に該当する辺の長さＷ11がＡ３判の短辺長（２９７ミリメートル）である原稿３１（図８参照）を読み込んで得た画像に対し、この画像で表現される図形の短辺の長さに対する２１０％（２．１倍）の拡大を行なう場合のロール紙の自動選択について説明する。
【０００９】
原稿３１を読み込んだ画像に対する拡大処理により得た画像のロール紙への印刷を行ないたい場合、この拡大後の画像で表現される図形３２（図８参照）の各辺のうち、原稿３１の原稿読み取り方向に沿った辺と同じ位置関係にある辺の長さＬ12が８００ミリメートルであり、原稿３１の原稿読み取り方向と直交した方向に沿った辺と同じ位置関係にある辺の長さＷ12が６２３．７（＝２９７＊２．１）ミリメートルであるので、拡大処理により得た画像３２が印刷可能なロール紙は、前述したＡ０幅ロール紙のみである。
【００１０】
しかし、前述したデジタル複写機は、任意の倍率を設定した上で、複数のロール紙のうち、原稿をもとにして生成した拡大処理後の画像を印刷可能なロール紙を自動選択する機能を有しておらず、ユーザは、拡大処理後の画像を印刷可能なロール紙の種別を確認した上で、オペレーションパネルなどに対する操作によりロール紙の種別を指定する必要がある。
【００１１】
また、シンクロカットを行なう上で、原稿を読み込んで得た画像に対し、任意の倍率による拡大縮小を行なって得た画像の回転なしの印刷、つまり、原稿の各辺のうち、原稿読み取り方向に沿った辺と、印刷対象のロール紙の印刷方向に沿った辺の位置関係が同じになる印刷を行なう場合には、原稿読み取り機構に対する原稿のセット方向によって、カット・印刷後のロール紙に発生する余白の面積が異なる。
【００１２】
具体的には、図８に示すように、原稿読み取り機構に対してセットした原稿３１の長辺の方向が原稿読み取り方向に沿っている場合で、かつ、読み取りにより得た画像の短辺に対し２１０％の拡大を行なった画像３２の、前述した回転なしによる印刷対象であるＡ０幅ロール紙に対する印刷を行なう場合には、図９に示すように、Ａ０幅ロール紙３３に対するカット・印刷後のロール紙には、長辺が８００ミリメートルで短辺が１７６．３（８４１−６２３．７）ミリメートルの図形に相当する余白３３ａが発生する。
【００１３】
また、図１０に示すように、原稿読み取り機構に対してセットした原稿３１の短辺の方向が原稿読み取り方向に沿っている場合で、かつ、読み取りにより得た画像の短辺に対し２１０％の拡大を行なった画像の回転なしの印刷を行なう場合には、図１１に示すように、Ａ０幅ロール紙３３に対するカット・印刷後のロール紙には、長辺の長さが６２３．７ミリメートルで、短辺の長さが４１（＝８４１−８００）ミリメートルである図形に該当する余白３３ｂが発生する。
【００１４】
余白３３ａの面積と余白３３ｂの面積を比較すると、余白３３ｂの面積が余白３３ａの面積より小さい。よって、ロール紙の無駄な消費を抑えるためには、原稿３１は、その短辺の向きが原稿読み取り方向に沿うように原稿読み取り機構にセットすることが望ましいが、このような、余白が少なくなる原稿のセット方向の判断はユーザが行なう必要があった。
【００１５】
そこで、本発明の目的は、印刷対象の画像のサイズに応じて、印刷するロール紙の適切な選択を行なうことが可能になる画像処理装置を提供することにある。
【課題を解決するための手段】
【００１６】
すなわち、本発明に係わる画像処理装置は、原稿の画像に等倍または任意の倍率による拡大縮小を行なった画像で表現される図形の各辺のうち、原稿の原稿読み取り方向に沿った辺と同じ位置関係にある辺である第１図形辺、および、この第１図形辺に直交する第２図形辺の長さをそれぞれ検出し、各種ロール紙のうち、短辺の長さが第２図形辺の長さ以上で、かつ、最も短い長さであるロール紙に対し、第１図形辺の長さにしたがった切り出しを行なうことを特徴とする。
【発明の効果】
【００１７】
本発明に係わる画像処理装置では、原稿の画像に拡大縮小を行なった画像で表現される図形の、原稿の原稿読み取り方向に沿った辺と同じ位置関係にある辺である第１図形辺、および、この第１図形辺に直交する第２図形辺の長さを検出し、各種ロール紙のうち、短辺の長さが第２図形辺の長さ以上で、かつ、最も短い長さであるロール紙に対し、第１図形辺の長さにしたがった切り出しを行なうので、原稿をもとにして得た画像である、印刷対象の画像のサイズに応じて、印刷するロール紙の適切な選択を行なうことができる。
【発明を実施するための最良の形態】
【００１８】
以下図面により本発明の実施形態について説明する。
【００１９】
図１は、本発明の実施形態にしたがったデジタル複写機の構成例を示すブロック図である。
【００２０】
図１に示すように、本発明の実施形態にしたがったデジタル複写機は、装置全体の処理動作を司るＣＰＵ１１、各種入力操作を受け付ける入力部１２、各種処理動作のためのシステムプログラムを記憶するＲＯＭ１３を備える。
【００２１】
ＣＰＵ１１は、入力部１２からの入力操作信号に応じて起動されるシステムプログラムに従って、各部の動作制御を行なう。図１に示したデジタル複写機は、各種制御用データを一時的に記憶するメモリ１４、原稿の画像を読み取る原稿読み取り機構１５、および、印刷機構１６をさらに備える。
【００２２】
原稿読み取り機構１５は、原稿をセット（載置）する原稿セット部１５ａ、および、原稿セット部１５ａにセットした原稿の画像を読み取る画像読み取り部１５ｂを有する。
【００２３】
ＣＰＵ１１は、紙仕上げ寸法であるＡ０判、Ａ１判、Ａ２判、Ａ３判およびＡ４判の定寸長である長辺長および短辺長を寸法の種別ごとに対応付けて記憶する定寸サイズテーブルを記憶する。図２は、本発明の実施形態にしたがったデジタル複写機のＣＰＵ１１に記憶される定寸サイズテーブルの一例を表形式で示す図である。定寸サイズテーブルはＣＰＵ１１に限らず、例えばＲＯＭ１３に記憶してもよい。
【００２４】
原稿セット部１５ａにセットする原稿は、画像読み取り部１５ｂによる原稿読み取り方向（走査方向）に沿った第１の辺、および、この第１の辺に直交した第２の辺を有する。原稿の第２の辺の長さは、Ａ０判の短辺長（８４１ミリメートル）、Ａ１判の短辺長（５９４ミリメートル）、Ａ２判の短辺長（４２０ミリメートル）、Ａ３判の短辺長（２９７ミリメートル）、および、Ａ４判の短辺長（２１０ミリメートル）のいずれかであるとする。
【００２５】
印刷機構１６は、ロール紙セット部（ロール紙取り付け口）１６ａ、搬送部１６ｂ、カット部１６ｃ、および、印刷部１６ｄを有する。ロール紙セット部１６ａは、原稿の画像の印刷用紙であるロール紙をセットする。搬送部１６ｂは、ロール紙セット部１６ａにセットされたロール紙を搬送する。カット部１６ｃは、搬送部１６ｂにより搬送されたロール紙を切り出す（カットする）。印刷部１６ｄは、印刷対象の画像をロール紙に不足なく印刷する。
【００２６】
また、印刷機構１６は、ロール紙に対してカット部１６ｃによる切り出しを行なった後で、この切り出したロール紙に対して印刷部１６ｄによる印刷を行なう構成であってもよいし、カット部１６ｃによる切り出しを行なう前のロール紙に対して印刷部１６ｄによる印刷を行なった後で、この印刷を行なったロール紙に対してカット部１６ｃによる切り出しを行なう構成であってもよい。
【００２７】
ロール紙セット部１６ａには、複数種類のロール紙を個別にセットできる。具体的には、ロール紙セット部１６ａは、Ａ０幅ロール紙、Ａ１幅ロール紙、Ａ２幅ロール紙、および、Ａ３幅ロール紙を個別にセットできる。ロール紙セット部１６ａは、ロール紙を１種類のみセット可能な構成であってもよい。
【００２８】
Ａ０幅ロール紙は、短辺の長さ、つまり搬送部１６ｂによる搬送方向に直交した方向に沿った辺の長さがＡ０判の短辺長であるロール紙である。Ａ１幅ロール紙の短辺の長さはＡ１判の短辺長である。Ａ２幅ロール紙の短辺の長さはＡ２判の短辺長である。Ａ３幅ロール紙の短辺の長さはＡ３判の短辺長である。
【００２９】
本発明の実施形態にしたがってデジタル複写機は、原稿読み取り機構１５により読み取った原稿の画像に対する拡大または縮小を行ない、この拡大縮小により得た、印刷対象の画像を、印刷機構１６によりロール紙に印刷する拡大縮小印刷機能を有する。この機能の詳細については後述する。
【００３０】
また、本発明の実施形態にしたがったデジタル複写機は、原稿セット部１５ａにセットした原稿を読み込んで、かつ、読み込んで得た画像に対して必要に応じて拡大縮小を施した画像である、印刷対象のサイズの種別を自動的に判別し、この判別した種類にしたがったロール紙カット手法を自動で設定する機能を有する。具体的には、ＣＰＵ１１は、印刷対象の画像で表現される図形の各辺の長さを検出することで、当該図形のサイズの種別を検出する。
【００３１】
そして、この検出の結果、図形のサイズがＡ０判サイズ、Ａ１判サイズ、Ａ２判サイズ、Ａ３判サイズおよびＡ４判サイズの何れかに対応すると判別された場合には、印刷機構１６は、各種ロール紙のうち、短辺の長さが、図形サイズと対応する寸法で定義される一方の定寸長と対応するロール紙に対し、対応するサイズの他方の定寸長にしたがったロール紙カット、いわゆる定寸カットを行ない、図形のサイズが、前述した各種サイズに対応しないと判別された場合には、短辺の長さが図形の一辺の長さに対応したロール紙に対し、図形の他辺の長さにしたがったロール紙カット、いわゆるシンクロカットを行なう。本発明の実施形態では、原稿セット部１５ａにセットした原稿が非定寸原稿であるとして、以後の説明を行なう。
【００３２】
また、本発明の実施形態にしたがったデジタル複写機は、前述したような、ロール紙カットの手法を自動的に設定する形態に限らず、入力部１２に対する所定の操作を行うことで、定寸カットを行なうかシンクロカットを行なうかを任意に指定する形態であってもよい。ここでは、入力部１２に対する所定の操作を行って、ロール紙カット手法がシンクロカットであると指定されたものとして以後の説明を行なう。
【００３３】
次に、本発明の実施形態にしたがったデジタル複写機の処理動作について説明する。  
【００３４】
図３は、本発明の実施形態にしたがったデジタル複写機による原稿サイズの判別にかかる処理動作の一例を示すフローチャートである。
【００３５】
図４は、本発明の実施形態にしたがったデジタル複写機の原稿読み取り機構１５にセットする原稿の一例を示す図である。
【００３６】
図５は、本発明の実施形態にしたがったデジタル複写機にセットする原稿の拡大画像で表現される図形の一例を示す図である。
【００３７】
図４に示した、原稿読み取り機構１５の原稿セット部１５ａへのセット対象の原稿２１は、画像読み取り部１５ｂによる原稿読み取り方向に沿った辺２１ａの長さＬ1が８００ミリメートルで、原稿読み取り方向と直交した方向に沿った辺２１ｂの長さＷ1がＡ３判の短辺長（２９７ミリメートル）である原稿、いわゆるＡ３幅原稿である。
【００３８】
本発明の実施形態にしたがったデジタル複写機は、入力部１２に対する所定の操作を行なうことで、印刷機構１６の原稿セット部１６ａにセット可能な複数種類のロール紙の種別のうち、切り出し・印刷の対象の種別の候補を任意に設定する機能を有する。ＣＰＵ１１は、前述のように設定されたロール紙種別の候補の情報を記憶し、この記憶されたロール紙種別を切り出し対象のロール紙種別の候補とする。また、これに限らず、ロール紙セット部１６ａに実際にセットされたロール紙の種別を図示しないセンサを用いて自動的に判別して、セットされていると判別されたロール紙種別を切り出し対象のロール紙種別の候補とする構成であってもよい。
【００３９】
そして、原稿読み取り機構１５の画像読み取り部１５ｂは、原稿セット部１５ａにセットされた原稿２１（図４参照）の画像を読み取る（ステップＳ１）。
【００４０】
ＣＰＵ１１は、入力部１２が、任意の倍率による拡大縮小にかかる操作を受け付けている場合には、この倍率の情報を原稿読み取り機構１５に出力する。原稿読み取り機構１５は、読み取りにより得た画像データに対し、ＣＰＵ１１から入力した倍率にしたがった拡大縮小処理を行ない、この拡大縮小処理により得た画像データをメモリ１４に出力する。
【００４１】
ここでは、原稿２１の画像で表現される図形の各辺のうち、当該原稿２１の辺２１ａに該当する辺の長さが２１０％（２．１倍）に拡大された図形２２（図５参照）を印刷する設定にかかる操作が入力部１２によりなされたものとして以後の処理を説明する。また、出力する画像データは、当該画像データで表現される図形２２の各辺のうち、画像読み取り部１５ｂによる原稿読み取り方向に沿った辺を示す情報を含む。
【００４２】
図形２２の各辺のうち、原稿２１の辺２１ａと同じ位置関係にある辺２２ａ、および、この辺２２ａと対向する辺２２ｃ（第１図形辺）の長さは８００ミリメートルである。また、図形２２の、原稿２１の辺２１ｂと同じ位置関係にある辺２２ｂ、および、この辺２２ｂと対向する辺２２ｄ（第２図形辺）の長さは、６２３．７（＝２９７＊２．１）ミリメートルである。ここでは原稿２１の画像に対し一方向の拡大しか行なっていないが、この方向に直交した方向の拡大をあわせて行なうこともできる。
【００４３】
また、入力部１２が、拡大縮小にかかる操作を受け付けておらず、原稿読み取り機構１５がＣＰＵ１１から倍率の情報を入力していない場合、または、入力部１２が等倍による拡大縮小にかかる操作を受け付けていて、原稿読み取り機構１５がＣＰＵ１１から入力した倍率が１００％（等倍）である場合には、読み取りにより得た画像データを、拡大縮小を行なうことなくメモリ１４に出力する。
【００４４】
ＣＰＵ１１は、メモリ１４に入力された画像データを取得して、この画像データで表現される図形２２の辺２２ａ、および、辺２２ａと直交する辺２２ｂの長さを検出する（ステップＳ２）。図形２２のサイズはロール紙への印刷サイズに相当する。
【００４５】
次に、ＣＰＵ１１は、原稿読み取り機構１５からメモリ１４に入力された画像データで表現される図形２２の辺２２ｂの長さ、および、定寸サイズテーブル（図２参照）で示される情報のうち、前述のように入力部１２に対する操作にしたがって切り出し・印刷対象の候補として設定されたロール紙種別に対応する紙仕上げ寸法の短辺長の情報を照合する。そして、ＣＰＵ１１は、この照合により、図形２２の辺２２ｂの長さ以上で、かつ、最も短い長さがを短辺長として定義される紙仕上げ寸法の種別を、切り出し・印刷に適したロール紙種別として計算する（ステップＳ３）。
【００４６】
ステップＳ３の処理では、図形２２の辺２２ａの長さにしたがったロール紙カット、つまり画像の回転を伴わないロール紙カットを行なう場合に適したロール紙種別の計算を行なう。
【００４７】
具体的には、図形２２の辺２２ｂの長さは６２３．７ミリメートルであるので、入力部１２に対する操作にしたがって、切り出し・印刷対象の候補として設定されたロール紙種別が、Ａ０幅ロール紙、Ａ１幅ロール紙、および、Ａ２幅ロール紙である場合には、照合対象の短辺長である、Ａ０判の短辺長（８４１ミリメートル）、Ａ１判の短辺長（５９４ミリメートル）、および、Ａ１判の短辺長（４２０ミリメートル）のうち、辺２２ｂの長さ以上で、かつ、最も短い短辺長は、Ａ０判の短辺長であるので。切り出し・印刷対象のロール紙はＡ０幅ロール紙となる。
【００４８】
そして、ＣＰＵ１１は、画像回転を伴わないロール紙カットを行なった際の余白の面積、つまり、切り出し・印刷対象としたＡ０幅ロール紙の短辺長（８４１ミリメートル）から図形２２の辺２２ｂの長さ（６２３．７ミリメートル）を減算した値、および、図形２２の辺２２ａの長さ（８００ミリメートル）の積である余白面積を計算する。
【００４９】
次に、ＣＰＵ１１は、原稿読み取り機構１５からメモリ１４に入力された画像データで表現される図形２２の辺２２ａの長さ、および、定寸サイズテーブル（図２参照）で示される情報のうち、前述のように設定されたロール紙種別の候補に対応する紙仕上げ寸法の短辺長の情報を照合する。そしてＣＰＵ１１は、この照合により、図形２２の辺２２ａの長さ以上で、かつ、最も短い長さがを短辺長として定義される紙仕上げ寸法の種別を、切り出し・印刷に適したロール紙種別として計算する（ステップＳ４）。
【００５０】
ステップＳ４の処理では、図形２２の辺２２ｂの長さにしたがったロール紙カット、つまり原稿画像の回転を伴うロール紙カットを行なう場合に適したロール紙種別の計算を行なう。
【００５１】
具体的には、図形２２の辺２２ａの長さは８００ミリメートルであるので、前述した切り出し・印刷対象のロール紙種別の候補に対応する短辺長のうち、辺２２ａの長さ以上で、かつ、最も短い短辺長はＡ０判の短辺長であるので、切り出し・印刷対象のロール紙はＡ０幅ロール紙となる。
【００５２】
そして、ＣＰＵ１１は、画像回転を伴うロール紙カットを行なった際の余白の面積、つまり、切り出し・印刷対象としたＡ０幅ロール紙の短辺長（８４１ミリメートル）から図形２２の辺２２ａの長さ（８００ミリメートル）を減算した値、および、図形２２の辺２２ｂの長さ（６２３．７ミリメートル）の積である余白面積を計算する。
【００５３】
次に、ＣＰＵ１１は、ステップＳ３の処理で計算した余白面積の値、およびステップＳ４の処理で計算した余白面積の値を比較することで、切り出し・印刷対象のロール紙種別を決定する（ステップＳ５）。
【００５４】
具体的には、ステップＳ３の処理で計算した面積が、ステップＳ４の処理で計算した面積より小さい場合には、ＣＰＵ１１は、ステップＳ３の処理により切り出し・印刷対象として計算したロール紙種別を、実際の切り出し・印刷対象のロール紙種別として決定する。この決定後は、ＣＰＵ１１は、拡大縮小後の画像で表現される図形の各辺のうち、原稿における原稿読み取り方向に沿った辺と同じ位置関係にある辺の長さをカット長さとして決定し、これら決定したロール紙種別の情報とカット長さの情報を印刷機構１６に出力する。
【００５５】
また、前述した比較により、ステップＳ４の処理で計算した面積が、ステップＳ３の処理で計算した面積より小さい場合には、ＣＰＵ１１は、ステップＳ４の処理により、切り出し・印刷対象として計算したロール紙種別を、実際の切り出し・印刷対象のロール紙種別として決定する。この決定後は、ＣＰＵ１１は、拡大縮小後の図形の各辺のうち、原稿における原稿読み取り方向に直交した方向に沿った辺と同じ位置関係にある辺の長さをカット長さとして決定し、これら決定したロール紙種別の情報とカット長さの情報を印刷機構１６に出力する。
【００５６】
印刷機構１６のカット部１６ｃは、ロール紙セット部１６ａにセットされた各種ロール紙のうち、ＣＰＵ１１から入力した情報で示される種別に対応したロール紙に対し、ＣＰＵ１１から入力した情報で示されるカット長さにしたがった切り出しを行ない、印刷部１６ｄは、切り出したロール紙に拡大縮小後の画像を不足なく印刷する（ステップＳ６）。
【００５７】
ただし、切り出し対象のロール紙、つまり、ＣＰＵ１１から入力した情報で示される種別に対応したロール紙がロール紙セット部１６ａにセットされていない場合には、ＣＰＵ１１は、この切り出し対象のロール紙のロール紙セット部１６ａに対する取り付けが必要である旨の報知、例えば図示しない表示ランプの点滅がなされるように制御する。
【００５８】
また、切り出し対象のロール紙がセットされていない場合には、前述した報知に限らず、ＣＰＵ１１は、前述したように設定されたロール紙種別の宝庫から、セットされていないロール紙の種別を除いた種別を切り出し・印刷の対象の種別の新たな候補として設定し、かつ、前述したステップＳ３〜Ｓ５の処理を再度行なった上で、ステップＳ６の処理を行なってもよい。
【００５９】
ステップＳ６の処理による印刷では、ステップＳ３の処理により計算された余白面積が、ステップＳ４の処理により計算された余白面積より小さい場合には、画像回転なしの印刷、つまり、拡大縮小後の画像で表現される図形の各辺のうち、原稿における原稿読み取り方向と直交した方向に沿った辺と同じ位置関係にある辺を、切り出し・カット対象のロール紙の短辺と対応させた印刷を行なう。
【００６０】
一方、ステップＳ４の処理により計算された余白の面積が、ステップＳ３の処理により計算された余白の面積より小さい場合には、画像回転ありの印刷、つまり、拡大縮小後の画像で表現される図形の各辺のうち、原稿における原稿読み取り方向に沿った辺と同じ位置関係にある辺を、切り出し・カット対象のロール紙の短辺と対応させた印刷を行なう。
【００６１】
図６は、本発明の実施形態にしたがったロール紙カットの一例を示す図である。
【００６２】
原稿読み取り機構１５にセットした原稿が原稿２１（図４参照）であり、拡大縮小後の画像で表現される図形が図形２２（図５参照）である場合には、Ａ０幅ロール紙に対し、前述した画像回転を伴う切り出し・印刷を行なった方が、切り出し・印刷後のロール紙の余白の面積が小さいので、カット部１６ｃは、Ａ０幅ロール紙２３に対し、図形２２の辺２２ｂの長さ（６２３．７ミリメートル）にしたがった切り出しを行なう。
【００６３】
以上説明したように、本発明の実施形態にしたがったデジタル複写機では、原稿読み取り機構１５にセットした原稿を読み込んで得た画像に、予め設定された倍率による拡大縮小を行なった画像を解析することで、候補として予め設定されたロール紙種別のうち、切り出し・印刷に最適なロール紙種別、つまり印刷対象の画像が全て収まり、かつ、切り出し・印刷後の余白面積が最も少なくなるロール紙種別を自動的に計算して、この計算した種別に対応するロール紙に対し、計算済みのカット長さにしたがった切り出しと印刷を行なうので、原稿セット部１５ａにセットした原稿のサイズ、および、拡大縮小の形態に応じて、適切なロール紙種別の選択を行なった上での、ロール紙カットおよび印刷を行なうことができる。よって、ユーザは、原稿のセットにあたり、原稿の画像が全て収まり、かつ、余白が少なくなるロール紙種別を自分で選択する必要がなくなる。
【００６４】
また、本発明の実施形態にしたがったデジタル複写機では、入力部１２に対する所定の操作を行なうことで、前述した画像回転を伴う印刷を行なうか否かを設定でき、画像回転を伴う印刷を行なわない設定がなされている場合には、前述したステップＳ３における余白の計算、および、ステップＳ４の処理を省略し、ステップＳ３の処理により、画像回転を伴わない場合の印刷に最適であると計算したロール紙種別を、実際の印刷対象のロール紙種別として決定する。
【００６５】
図７は、本発明の実施形態にしたがったロール紙カットの変形例を示す図である。
【００６６】
例えば、セットした原稿が原稿２１であり、かつ、画像回転を伴う印刷を行なわない設定がなされていた場合には、ＣＰＵ１１は、切り出し・印刷に最適なロール紙はＡ０幅ロール紙であり、カット長さは図形２２の辺２２ａに沿った長さであると計算する。印刷機構１６は、ＣＰＵ１１による計算結果にしたがって、Ａ０幅ロール紙２３に対し、図形２２の辺２２ａに沿った長さ（８００ミリメートル）にしたがったロール紙カットを行ない（図７参照）、この切り出したロール紙に対し、画像回転を伴わない印刷、つまり、図形２２の辺２２ｂ、または辺２２ｂと向かい合う辺２２ｄとＡ０幅ロール紙２３の辺２３ａの位置関係が同じになる印刷を行なう。
【００６７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６８】
【図１】本発明の実施形態にしたがったデジタル複写機の構成例を示すブロック図。
【図２】本発明の実施形態にしたがったデジタル複写機のＣＰＵに記憶される定寸サイズテーブルの一例を表形式で示す図。
【図３】本発明の実施形態にしたがったデジタル複写機による原稿サイズの判別にかかる処理動作の一例を示すフローチャート。
【図４】本発明の実施形態にしたがったデジタル複写機にセットする原稿の一例を示す図。
【図５】本発明の実施形態にしたがったデジタル複写機にセットする原稿の拡大画像で表現される図形の一例を示す図。
【図６】本発明の実施形態にしたがったロール紙カットの一例（その１）を示す図。
【図７】本発明の実施形態にしたがったロール紙カットの一例（その２）を示す図。
【図８】従来のデジタル複写機にセットする原稿、および、この原稿の拡大画像の一例を示す図。
【図９】従来のデジタル複写機によるロール紙カットの一例（その１）を示す図。
【図１０】従来のデジタル複写機にセットする原稿の一例を示す図。
【図１１】従来のデジタル複写機によるロール紙カットの一例（その２）を示す図。
【符号の説明】
【００６９】
１１…ＣＰＵ、１２…入力部、１３…ＲＯＭ、１４…メモリ、１５…原稿読み取り機構、１５ａ…原稿セット部、１５ｂ…画像読み取り部、１６…印刷機構、１６ａ…ロール紙セット部、１６ｂ…搬送部、１６ｃ…カット部、１６ｄ…印刷部、２１，３１…原稿、２２，３２…拡大画像、２３，３３…Ａ０幅ロール紙。
【図１】
2006116919.tif 000003
【図２】
2006116919.tif 000004
【図３】
2006116919.tif 000005
【図４】
2006116919.tif 000006
【図５】
2006116919.tif 000007
【図６】
2006116919.tif 000008
【図７】
2006116919.tif 000009
【図８】
2006116919.tif 000010
【図９】
2006116919.tif 000011
【図１０】
2006116919.tif 000012
【図１１】
2006116919.tif 000013